(57)【要約】  圧力計測アッセンブリ２０が提供される。本発明のアッセンブリ２０は、自信を貫通するアパーチャ３６を有する圧力センサマウントを含む。圧力センサ５２はアパーチャを通るよう取り付けられる。圧力センサ５２の電気的特性は加わる圧力に応じて変化する。アイソレータプラグ５０は、プロセス流体に晒されるように構成される。アイソレータプラグは、プロセス流体と接触する隔離ダイヤプラム６４を備える。通路６６がプロセス流体圧力を隔離ダイヤフラム６４から圧力センサ５２まで非圧縮性流体を通して伝達するために隔離ダイヤフラム６４に対して流体工学的に密着される。圧力センサマウント４０は、アパーチャの軸線に沿った視点で非円形形状のアイソレータプラグ５０に接続される。
2016532878.tif 000002
【特許請求の範囲】
【請求項１】
圧力計測アッセンブリにおいて、
アパーチャを有する圧力センサマウントと、
アパーチャにこれを通るように取り付けられ、加えられた圧力に応じて電気的特性が変化する圧力センサと、
プロセス流体に晒されるように構成され、プロセス流体と接触するように配置される隔離ダイヤフラムを有してプロセス流体の圧力を隔離ダイヤフラムから圧力センサへ非圧縮性の流体を介して伝達するために隔離ダイヤフラムと流体工学的に接続された通路を有するように構成されたアイソレータプラグとを具備し、
前記圧力センサマウントはアイソレータプラグに接続され、前記アパーチャの軸線に沿った視点で非円形状であることを特徴とする圧力計測アッセンブリ。
【請求項２】
前記アイソレータプラグに接続され、通路内に前記非圧縮性流体を導入するように構成された充填管をさらに含むことを特徴とする圧力計測アッセンブリ。
【請求項３】
前記充填管がアイソレータプラグに取り付けられ、当該アイソレータプラグから前記アパーチャの軸線と実質的に平行な方向へ延設されていることを特徴とする請求項２に記載の圧力計測アッセンブリ。
【請求項４】
前記圧力センサマウントが前記アイソレータプラグにロウ付けされていることを特徴とする請求項１に記載の圧力計測アッセンブリ。
【請求項５】
前記隔離ダイヤフラムを覆うように配置されたスクリーンをさらに含むことを特徴とする請求項１に記載の圧力計測アッセンブリ。
【請求項６】
前記スクリーンが前記アイソレータプラグに溶接されていることを特徴とする請求項５に記載の圧力計測アッセンブリ。
【請求項７】
前記圧力センサが単結晶材料で形成されることを特徴とする請求項１に記載の圧力計測アッセンブリ。
【請求項８】
前記単結晶材料がサファイアであることを特徴とする請求項７に記載の圧力計測アッセンブリ。
【請求項９】
圧力センサの近傍位置において、非圧縮性流体内に配置された少なくとも１つの非圧縮油量インサートを含むことを特徴とする請求項１に記載の圧力計測アッセンブリ。
【請求項１０】
前記アッセンブリが圧力プローブ内で具現化され、圧力送信機の一部であることを特徴とする請求項１に記載の圧力計測アッセンブリ。
【請求項１１】
前記圧力センサがさらに、プロセス流体温度の指示値を出力するように配置された少なくとも１つの温度検知素子を含むことを特徴とする請求項１に記載の圧力計測アッセンブリ。
【請求項１２】
前記アイソレータプラグが耐食性合金で形成されることを特徴とする請求項１に記載の圧力計測システム。
【請求項１３】
前記耐食性合金がHastelloy（登録商標） C-276であることを特徴とする請求項１２に記載の圧力計測システム。
【請求項１４】
前記耐食性合金がInconel（登録商標） 625であることを特徴とする請求項１２に記載の圧力計測システム。
【請求項１５】
前記非円形形状が略楕円形であることを特徴とする請求項１に記載の圧力計測システム。
【請求項１６】
圧力計測アッセンブリにおいて、
第１のアパーチャを有する第１の圧力センサマウントと、
第１のアパーチャにこれを通るように取り付けられ、加えられた圧力に応じて電気的特性が変化する第１の圧力センサと、
第２のアパーチャを有する第２の圧力センサマウントと、
第２のアパーチャにこれを通るように取り付けられ、加えられた圧力に応じて電気的特性が変化する第２の圧力センサと、
プロセス流体に晒されるように構成され、プロセス流体と接触するように配置される第１の隔離ダイヤフラムを有してプロセス流体の圧力を第１の隔離ダイヤフラムから第１の圧力センサへ非圧縮性の流体を介して伝達するために第１の隔離ダイヤフラムと流体工学的に接続された第１通路、およびプロセス流体と接触するように配置される第２の隔離ダイヤフラムを有してプロセス流体の圧力を第２の隔離ダイヤフラムから第２の圧力センサへ非圧縮性の流体を介して伝達するために第２の隔離ダイヤフラムと流体工学的に接続された第２通路を有するように構成されたアイソレータプラグとを具備し、
前記第１及び第２の圧力センサマウントはアイソレータプラグに接続され、前記アパーチャの軸線に沿った視点で非円形状であることを特徴とする圧力計測アッセンブリ。
【請求項１７】
前記第１および第２の隔離ダイヤフラムが円形である請求項１６に記載の圧力計測アッセンブリ。
【請求項１８】
前記第１および第２の隔離ダイヤフラムが軸方向に離間されていることを特徴とする請求項１７に記載の圧力計測アッセンブリ。
【請求項１９】
前記第１および第２の隔離ダイヤフラムが相互に一列であることを特徴とする請求項１８に記載の圧力計測アッセンブリ。
【請求項２０】
前記アイソレータプラグに接続されるスクリーンをさらに具備し、各隔離ダイヤフラムが前記スクリーンから離間していることを特徴とする請求項１６に記載の圧力計測アッセンブリ。
【請求項２１】
前記スクリーンが、アイソレータプラグを備えたインタフェースの近傍に晒される複数のアパーチャを含むことを特徴とする請求項２０に記載の圧力計測アッセンブリ。
【請求項２２】
アイソレータプラグに接続され、非圧縮流体を第１通路へ導く第１の充填チューブと、
アイソレータプラグに接続され、非圧縮流体を第２通路へ導く第２の充填チューブとをさらに具備したことを特徴とする請求項１６に記載の圧力計測アッセンブリ。
【請求項２３】
前記第１および第２充填チューブがアイソレータプラグが前記アパーチャの軸線と実質的に平行な方向へ延設されたことを特徴とする請求項２２に記載の圧力計測アッセンブリ。
【請求項２４】
前記アッセンブリの直径が略0.98インチ以下であることを特徴とする請求項２２に記載の圧力計測アッセンブリ。
【請求項２５】
前記第１および第２の圧力センサが単結晶材料で形成されることを特徴とする請求項１６に記載の圧力計測アッセンブリ。
【請求項２６】
前記非円形状が実質的に楕円であることを特徴とする請求項１６に記載の圧力計測アッセンブリ。
【発明の詳細な説明】
【技術分野】
【０００１】
本発明は、圧力計測アッセンブリに係り、特に海中のような高圧環境下での利用に好適な圧力計測アッセンブリに関する。
【背景技術】
【０００２】
工業用のプロセス制御システムは、流体等を生成または搬送するために使用される工業プロセスを監視および制御するために使用される。このようなシステムでは一般的に、温度、圧力、流量、レベル等のプロセス変数を計測することが重要である。プロセス制御トランスミッタはプロセス変数を計測し、計測結果に対応する情報を中央制御室のような中央の指定位置へ伝送する。
プロセス可変トランスミッタの一つのタイプは、プロセス流体の圧力を計測し、計測結果に対応する出力を提供する圧力トランスミッタである。その出力は、計測された圧力に由来する圧力、流量、プロセス流体のレベルまたは他のプロセス変数であって良い。圧力トランスミッタは、計測された圧力に対応する情報を中央制御室へ伝送するように構成されている。このような伝送は、典型的には２線式プロセス制御ループを介して行われるが、他の通信技術も時々使用される。このような圧力計測アッセンブリの先行技術として特許文献１がある。
【先行技術文献】
【特許文献】
【０００３】
【特許文献１】US 2002/100333
【発明の概要】
【発明が解決しようとする課題】
【０００４】
圧力計測にとって特に厳しい環境の一つに非常に高い作動圧力への適用がある。そのような用途の一つは海中環境である。このような用途では、プロセス装置が置かれる環境の静圧が非常に高くなる。さらに、プロセス流体は多くの公知の金属を腐食させる。例えば、いくつかの海中への応用では20,000psiの最大作動圧（MWP：maximum working pressure）を必要とすると考えられている。このような事情を考慮すると、強固な構造を提供するためには、典型的に特殊な高性能、高コストの外来材料が必要となる。このような高性能、高コストの耐食性合金の例としては、インディアナ州ココモのヘインズインターナショナル社から入手可能なHastelloy（登録商標）C276や、ニューヨーク州ニューハートフォードのスペシャルメタル社から入手可能なInconel（登録商標）625がある。このような外来合金を選択すれば、プロセス可変トランスミッタを厳しい環境下で動作させることが可能になるが、典型的には構造全体のコストを増大させる。
【課題を解決するための手段】
【０００５】
本発明は圧力計測アッセンブリを提供する。本発明のアッセンブリは、自信を貫通するアパーチャを有する圧力センサマウントを含む。圧力センサは前記アパーチャを通るよう取り付けられる。圧力センサの電気的特性は加わる圧力に応じて変化する。通路がプロセス流体圧力を隔離ダイヤフラムから圧力センサまで非圧縮性流体を通して伝達するために隔離ダイヤフラムに対して流体工学的に密着される。圧力センサマウントは、アパーチャの軸線に沿った視点で非円形形状のアイソレータプラグに接続される。
【発明の効果】
【０００６】
本発明によれば、センサマウントを円形ではなく非円形形状とすることにより、付加的に生じる空間を充填管などの他の構成要素に提供することができる。その結果、センサマウントの形状が依然として非常に堅牢なセンサマウントを提供でき、よりコンパクトなセンサ取付構成を可能にできる。
【図面の簡単な説明】
【０００７】
【図１】本発明の実施形態に係る海底用PT（圧力／温度）トタンスミッタの斜視図である。
【図２】図１のプローブ内で一般的に使用される圧力センサモジュールの概略正面図である。
【図３】単結晶材料の圧力センサを取り付けるための従来のセンサマウントの平面図である。
【図４】図３に示したセンサマウントの立面断面図である。
【図５】本発明の実施形態に係る非円形形状センサマウントの平面図である。
【図６】図５に示したセンサマウントの概略断面図である。
【図７】本発明の実施形態に係る非円形形状センサマウントを有するアイソレータプラグの上面図である。
【図８】本発明の実施形態に係る圧力プローブの圧力検知アッセンブリ部の概略断面図である。
【図９】図８に示したアッセンブリの斜視図である。
【図１０】本発明の他の実施形態に係る非円形センサマウントを有する圧力検知アッセンブリの平面図である。
【図１１】図１０のA-A線に沿った概略断面図である。
【図１２】図１１に示した圧力検知アッセンブリの９０°回転の平面図である。
【図１３】図１２に示した圧力検知アッセンブリのC-C線に沿った断面図である。
【図１４】図１１，１３に示した圧力検知アッセンブリのスクリーンを取り外した概略斜視図である。
【図１５】図１１，１３に示した圧力検知アッセンブリのスクリーンを溶接した概略斜視図である。
【発明を実施するための形態】
【０００８】
図１は、例示的な海中PT（圧力／温度）トタンスミッタの斜視図である。トランスミッタ１０は、電子機器ハウジング１２、API（American Petroleum Institute）パイプフランジ１４および圧力／温度プローブ１６を含む。プローブ１６はパイプ壁を貫通して開口部に挿入され、パイプ内で１つまたは２つの圧力／温度隔離ダイヤフラムを位置決めする。一般に、これらのダイヤフラムはプロセス圧力を計測するパイプの内径に配置される。利用可能な既知の海中トランスミッタによれば、典型的なプローブの直径は36.5mmから46.5mmの範囲であり、一般的にはHastelloy（登録商標）C-276またはInconel（登録商標）625などの高性能で高コストな耐食性合金で構成される。これらの合金は海中環境に適するものの、一般的にアッセンブリ全体のコストを上昇させる。多くの適用に関連して高い圧力を与えられると、パイプフランジ１４も電子機器ハウジング１２と同様に、一般にプローブ１６の外径によってドライブされる。プローブアッセンブリ１６の主要な構成要素はプローブ１６内の圧力カプセルである。圧力カプセルは、一般に圧力センサおよびプロセス流体隔離ダイヤフラムを含む。プロセス流体隔離ダイヤフラムはプロセス流体に接し、圧力センサとプロセス流体とが接触しないように、プロセス流体圧力を圧力センサに伝達する。圧力センサに加えて、カプセルは温度センサを備えることができる。カプセルはまた、一般的に圧力センサにプロセス圧力を伝達するために、スクリーンのようなプロセス・インターフェースおよび油圧システム（例えば、充填流体など）を含む。図１に示すように、APIフランジマウント１４は、トランスミッタを取り付けるためにパイプフランジをパイプに係合させるためのボルトを通す８つのボルト孔を含む。加わる圧力によっては、フランジ１４のサイズ及びの厚さは非現実的ではない。
【０００９】
図２は、一般的に図１のプローブ１６内で使用される圧力センサモジュールの概略正面図である。センサモジュール２０は、プロセス流体へ晒されるように設けられたスクリーン２２を含み、図８に示した隔離ダイヤグラム６４のようなセンサモジュールの内部コンポーネントを、プロセス流体中の微粒子や固体材料から保護する。アイソレータプラグ２４は、プロセス流体に直接晒されるように構成され、プロセス流体圧力を圧力センサ２６へ伝達する際に圧力センサ２６をプロセス流体から物理的に隔離する。アイソレータプラグ２４は、一般的には溶接部３０においてセンサ本体２８に溶接されている。アイソレータプラグがプロセス流体と圧力センサとの間の物理的接触を許容せずにプロセス流体の圧力を圧力センサ２６へ伝達できるようにするために、シリコーン油などの油圧充填流体（例えば、非圧縮性流体）が使用される。油圧充填流体は、充填管３２を介して閉鎖系内に導入され、充填管３２はその後シールされる。その後、プロセス流体は隔離ダイヤフラムの一方の側に当接し、他方の側は油圧充填流体に当接する。充填液は圧力センサ２６に圧力を伝達する。その結果、圧力センサ２６は油圧充填液とのみ接触し、潜在的に腐食性があり、熱く、または他の困難なプロセス流体とは接触しない。いくつかの例では、圧力センサ２６は、高圧高温に耐え得る小さな単結晶圧力センサである。いくつかの例では、この単結晶の圧力センサはサファイアで構成される。これらの単結晶の圧力センサは、例えば米国特許第6520020号に開示されている。単結晶基板に圧力が加わると、圧力センサの単結晶材料の２つ以上の層の層間の距離が変化する。圧力センサの内側表面に露出した導体が相互に接近または離間する方向へ移動すると、これにより導体間の静電容量が変化する。静電容量の変化は電子機器ハウジング１２内の適当な回路によって検出されて圧力を代表する。多くの場合、単結晶の圧力センサはまた、抵抗温度装置のように温度に敏感な構造を含むことになる。したがって、この小さな圧力／温度検知素子により、比較的過酷な環境に適した、小さくてロバスト性の高い検知システムを構成できる。
【００１０】
図３は、単結晶材料の圧力センサを取り付けるためのセンサマウントの従来技術の平面図である。センサマウント３４は円形であり、その直径は一般的に0.279インチ（7.09 mm）である。センサマウント３４の中心部には、矩形断面を有する単結晶の圧力センサを受け容れるように寸法決めされたスロット３６が設けられている。圧力センサがスロット３６に取り付けられると、センサマウント３４に圧力センサ２６を機械的に固定または取り付けるためのロウ付けや半田付けの作業が行われる。
【００１１】
図４は、センサマウント３４の立面断面図である。図４ではセンサマウントの高さは約0.170インチ（4.32mm）として示されている。さらに、スロット３６がセンサマウント３４を完全に貫通して延びるように示されている。
【００１２】
本発明の実施形態によれば、センサマウントの形状が、依然として非常に堅牢なセンサマウントを提供でき、よりコンパクトなセンサ取付構成を可能にする非円形形状に設計変更される。
【００１３】
図５は、本発明の実施形態に係る非円形センサマウントによるセンサ取り付けの概略平面図である。センサマウント４０はやはり、現在使用され、または今後開発されるであろう単結晶圧力センサを受け容れて取り付けられるサイズおよび形状の貫通孔（アパーチャ）３６を有する。しかしながら、センサマウント４０はアパーチャ３６の軸線に沿った視点（図５に示したように、アパーチャ３６を見下ろす視点）では非円形形状である。一実施形態では、センサマウント４０は延長部分４６によって互いに分離された一対のカーブエンド４２，４４を有する。このように、センサマウント４０の平面図は楕円形またはレーストラックに似ている。一実施形態では、楕円形の幅が約0.170インチ（4.32 mm）であり、楕円形の長さが約0.279インチ（7.09 mm）である。図５を参照した実施形態では、各カーブエンド４２，４４間の延長部分４６が直線であったが、楕円形状が非円形に維持される限りにおいて、延長部分４６は多少湾曲していても良い。センサマウント４０を円形ではなくすることにより、付加的に生じる空間を、図７，８を参照して後述する充填管などの他の構成要素に提供することができる。
【００１４】
図６は、センサマウント３４のように、センサマウント３４を完全に貫通して延びるスロット３６を備え、好ましくは高さが同じ0.170インチであるセンサマウント４０の実施形態を示している。
【００１５】
図７は、非円形圧力センサマウント４０を備え、これがロウ付け等により固定された本発明の一実施形態に係るアイソレータプラグ５０の平面図である。センサマウント４０は、その内部に取り付けられた圧力センサ５２を備える。圧力センサ５２は、好ましくはサファイアなどの単結晶材料で構成されている。圧力センサ５２は、ロウ付け又は半田付けによりセンサマウント４０に取り付けられている。そのように取り付けられると、センサマウント４０は圧力検知チャンバ５４（図８を参照）内に圧力センサ５２を配置する。プロセス流体の圧力は、隔離液を介して隔離ダイヤフラム６４から圧力センサ５２へ伝達され、これにより、圧力センサ５２はプロセス流体の圧力を検知することができる。圧力センサ５２もまた、好ましくはプロセス流体の温度を表示するための少なくとも一つの感温素子を含む。充填流体は、隔離ダイヤフラム６４と圧力検知チャンバ５４との間の空間へ給油管５６を経由して導入される。一実施形態では、給油管５６がアイソレータプラグ５０から、圧力センサ５２の装着されるアパーチャを通る軸と実質的に平行な方向（すなわち、鉛直方向）へ延びる。これにより、圧力検知アッセンブリのための非常にコンパクトな構成を提供できる。システムにオイルが充填されると、給油管５６は密閉体積が維持されるように封止される。
【００１６】
図８は、本発明の実施形態に係る圧力プローブの圧力検知アッセンブリの概略断面図である。アッセンブリ６０は、隔離ダイヤフラムの近接に配置され、スクリーン６２または他の適切な構造を備え、プロセス流体内を移動する微粒子や固体の隔離ダイヤフラムとの物理的な接触を排除する。しかしながら、スクリーン６２はプロセル流体が隔離ダイヤフラムに作用できるようにするための多数の孔を有する。プロセス流体は隔離ダイヤフラム６４に対して圧力を加えるので、クローズドシステム内の充填流体は、プロセス流体の圧力を油路６６経由で圧力検知チャンバ５４へ伝達する。いくつかの実施形態では、圧力検知チャンバ５４は、実質的に非圧縮性であって圧力検知チャンバ５４内に要求されるオイル量を削減する少なくとも一つの油量インサート６８を備える。充填流体はプロセス流体によって加圧されるので、圧力センサ５２の対向する層は圧力に基づいて互いに付勢される。圧力センサ５２の反対側の層が変位することで層間の距離が変化する。このような層の内側表面に配置された金属製または導電性の層は、印加された圧力に応じて静電容量が変化するコンデンサのような静電容量プレートを形成する。
【００１７】
図８に示したように、圧力センサ５２は、好ましくはアイソレータプラグ５０に対してロウ付けされたセンサマウント４０に取り付けられる。したがって、センサマウントおよびアイソレータプラグの特徴は、一体ピースのアイソレータプラグに結合されることである。特徴を組み合わせることにより、センサ本体２８とアイソレータプラグ２４との間に不可欠な深浸透溶接が不要となり、全体的な高さとアッセンブリ６０の直径が減少する。
センサマウント４０、圧力センサ５２および給油管５６をアイソレータプラグ５０に対してロウ付けまたは半田付けするために既存のプロセスおよび材料を利用できる。
【００１８】
図７へ戻り、非円形センサマウント４０を垂直給油管５６と一緒に利用することにより、両方の構造をリング７０の周囲内に設けることができる。これによりアッセンブリ全体の直径を小さくできるようになり、その結果、構造全体を小型化でき、プローブを製造するために必要な高性能で高コストな合金の量も削減することができる。
【００１９】
図９は、圧力センサ５２およびオイルチューブ５６が共にリング７０の周囲内に配置された圧力検出システム６０の斜視図である。スクリーン６２は溶接部７２においてアイソレータプラグ５０に溶接されている。
【００２０】
図１０は、本発明の他の実施形態に係る圧力検知アッセンブリ８０の平面図である。圧力検知アッセンブリ８０は、図７に示した圧力検知アッセンブリ５０といくつかの点で類似し、同等の部分には同等の番号が付してある。図１０に示したように、アッセンブリ８０は、それぞれが圧力センサ５２を搭載するためのアパーチャを有する一対の非円形圧力センサマウント４０（図１０に示したように、センサマウントアパーチャの軸線に沿った視点で非円形形状のマウント４０）を含む。さらに、圧力センサ５２は、通常は相互に間隔を置いて配置されるが、さもなければ互いに平行に配置される。さらに圧力検知アッセンブリ８０は、非圧縮性の充填流体を圧力検知アッセンブリ８０内の複数の異なる封止流体容量へ導くための一対のオイル充填チューブ５６を有する。
【００２１】
図１１は、図１０のA―A線に沿った圧力検知アッセンブリ８０の断面図である。図示の通り、圧力検知アッセンブリ８０は溶接部８６でスクリーン８４に溶接されるアイソレータプラグ８２を含む。アイソレータプラグ８２の末端部８８は一対の隔離ダイヤグラム９０，９２を有する。各隔離ダイヤグラム９０，９２は一般的に相互に間隔を置いて配置されるが、それぞれの平面を横断する方向に関して相互に離間される。各隔離ダイヤフラム９０，９２は、圧力センサ５２にプロセス流体の圧力をそれぞれ伝達するオイル通路９４，９６に結合される。 いくつかの実施例では、各圧力センサ５２も温度検知要素を含む。さらに、図１１に示した実施形態では、各隔離ダイヤグラム９０，９２とスクリーン84との間には、水和物（固体）が堆積して隔離ダイヤフラム９０，９２の動きに悪影響を及ぼす可能性を最小化または減じるために重要なギャップが形成されている。
【００２２】
各圧力センサマウント４０は、好ましくはアイソレータプラグ８２にロウ付けされる。さらに、各圧力センサ５２は各センサマウントに対して、好ましくはそれぞれ半田付けされるか、さもなければ固定される。圧力検知アッセンブリ８０が完成すると、プローブに対してインタフェースまたは表面９８において好ましくは溶接により取り付けられる。
【００２３】
図１２は、図１１に示した圧力検知アッセンブリの９０°回転の平面図である。
【００２４】
図１３は、図１２に示した圧力検知アッセンブリのC-C線に沿った断面図である。具体的には、図１３２に示した断面図は、図１０のA-A線から９０°回転したC-C線に沿った断面図である。
図１３は、アイソレータプラグ８２に取り付けられ、異なる各オイル充填システムを充填するオイル通路１００を通してオイルを伝達する各充填チューブ５６を示している。そのようなシステムがオイルで満たされると、それぞれの隔離ダイヤフラムを圧迫しているプロセス流体の圧力がそれぞれの圧力センサに伝えられるように、充填チューブ５６の各々は閉じられるか、さもなければ封止される。図１０ないし図１３に示される複数の圧力／温度計測の具体化は、冗長な圧力計測の提供を可能にする。しかしながら、いくつかの実施例では、差圧なる圧力は、複数の圧力／温度センサで変換される圧力間の相違に基づいて差動圧力が測られるかもしれない。
【００２５】
図１４は、スクリーン８４を取り外した圧力検知アッセンブリの斜視図である。図１４から分かるように、隔離ダイヤグラム９２は円形状であり、複数の環状しわを有している。他の隔離ダイヤフラムは、好ましくは隔離ダイヤフラム２とほぼ同じである。図１４も、それぞれのセンサマウント４０内に取り付けられる一対の圧力センサ５２を示している。 さらに、一対のオイル充填チューブ５６が提供され、これら全ての構成要素はリング７０の周辺部の中に配列される。
【００２６】
図１５は、溶接部８６においてスクリーン８４が溶接された圧力検知アッセンブリ８０の斜視図である。圧力検知アッセンブリ８０の全体の直径は、本発明の実施形態に従って、20,000psiの最大圧力（MWP）および適切なアイソレータプラグ材料により0.98インチ（24.9 mm）と小さくすることができる。図１５も、スクリーン８４の溶接部８６の近傍にドリル等により設けられた複数のアパーチャ８８を示している。アパーチャ８８はガスを排出し、圧力の計測結果に影響を与える可能性のある「デッドエンド」を排除することができる。
【００２７】
上述のように、本発明の実施形態は一般的に、ユニークなセンサマウントおよびアイソレータプラグの配置構造により、海底でのトランスミッタの利用に好適な小径の圧力カプセルを提供する。プローブの長さは適用に応じて可変であり、通常は高性能、高コストの材料から造られる。圧力カプセルはプローブアッセンブリの重要なコンポーネントであり、このように全体の直径に影響を与える。圧力カプセルおよびプローブの大きさ及び直径を削減することは、海底圧力トランスミッタの全体のサイズおよびコストの低減に有利に働く。プローブの直径を削減する条件は、デバイスを製造するために必要な高コストの耐食性合金（CRA）材料の使用量を減少することによる圧力トランスミッタのコスト削減の契機となる。さらに、装置全体の重量も低減される。最後に、本発明の実施形態はいくつかの製品および／または応用のために考慮される標準的な直径2 1/16インチのAPIパイプフランジ以外の他のプロセス接続を可能にする。
【００２８】
本発明が好ましい実施形態を参照して説明されたが、当該技術分野における当業者であれば、本発明の精神および範囲から逸脱することなく、形態および詳細において変更がなされ得ることを認識するであろう。例えば、アイソレータプラグに比較的軽微な修正を加えれば、スクリーンを標準的なプロセスコネクタに置き換えることができ、追加の応用や環境で使用できる。加えて、本発明の実施形態によって使用可能な比較的小さな直径のプローブは、地下水または廃水用途のための水中圧力トランスミッタで使用できる。さらに、本発明の実施形態は、図１１に示したように、二平面隔離ダイヤフラムの対を提供したが、さらに、隔離ダイヤフラムが同一平面上にある場所でも実施できる。
【符号の説明】
【００２９】
１０…トランスミッタ，１２…電子機器ハウジング，１４…パイプフランジ，１６…プローブアッセンブリ，２０…センサモジュール，２４…アイソレータプラグ，２６…圧力センサ，２８…センサ本体，３０…溶接部，３２…充填管，３４…センサマウント，３６…アパーチャ，４０…センサマウント，５２…圧力センサ，５４…圧力検知チャンバ，５６…給油管，６０…アッセンブリ，６２…スクリーン，６４…隔離ダイヤグラム
【図１】
2016532878.tif 000003
【図２】
2016532878.tif 000004
【図３】
2016532878.tif 000005
【図４】
2016532878.tif 000006
【図５】
2016532878.tif 000007
【図６】
2016532878.tif 000008
【図７】
2016532878.tif 000009
【図８】
2016532878.tif 000010
【図９】
2016532878.tif 000011
【図１０】
2016532878.tif 000012
【図１１】
2016532878.tif 000013
【図１２】
2016532878.tif 000014
【図１３】
2016532878.tif 000015
【図１４】
2016532878.tif 000016
【図１５】
2016532878.tif 000017
【国際調査報告】
2016532878.tif 000018
2016532878.tif 000019
2016532878.tif 000020
2016532878.tif 000021